(57)【要約】【構成】電流制御ＩＣ４０は、５００ｍＡを上限としかつ負荷量に対応する電流値を示す駆動電流を、バッテリ３８または受電回路４２から出力された５Ｖの直流電圧に基づいて出力する。ＤＣ−ＤＣコンバータ４６は、電流制御ＩＣ４０から出力された駆動電流に基づく電力を電源スイッチ４８を介してメインシステムＭＳに供給する。充電制御ＩＣ４４は、指定傾きで増大する充電電流を電流制御ＩＣ４０から出力された駆動電流に基づいてバッテリ３８に供給する。サブＣＰＵ５０は、受電回路４２から５Ｖの直流電圧が出力されたとき、電源スイッチ４８および充電制御ＩＣ４０の両方をオンする。このオン動作から既定時間が経過すると、サブＣＰＵ５０は、電源スイッチ４８をオフし、これに起因する駆動電流の減少が補償されるように上述の指定傾きの大きさを調整する。【効果】受電回路４２による受電動作が安定する。【選択図】図２
2014132807.tif 000002
【特許請求の範囲】
【請求項１】
負荷量に対応する電流量を示す駆動電流をバッテリおよび外部電源のいずれか一方に基づいて出力する出力手段、
前記出力手段から出力された駆動電流に基づく電力を主回路に供給する第１供給手段、
既定値を上限として指定傾きで増大する充電電流を前記出力手段から出力された駆動電流に基づいて前記バッテリに供給する第２供給手段、
前記外部電源の検知に応答して前記第１供給手段および前記第２供給手段の両方を起動する起動手段、
前記起動手段の処理から既定時間が経過した時点で前記第１供給手段の動作を制限する制限手段、および
前記出力手段から出力される駆動電流の減少を補償するべく前記制限手段の処理に関連して前記指定傾きの大きさを調整する調整手段を備える、電子機器。
【請求項２】
前記起動手段は前記第１供給手段の起動に遅れて前記第２供給手段を起動する起動タイミング制御手段を含む、請求項１記載の電子機器。
【請求項３】
前記出力手段は前記バッテリに優先して前記外部電源を電流生成源として選択する、請求項１または２記載の電子機器。
【請求項４】
前記外部電源は非接触電力伝送方式で電力を受電する受電手段を含む、請求項１ないし３のいずれかに記載の電子機器。
【請求項５】
電源オン操作を受け付けたとき前記第１供給手段および前記第２供給手段のうち前記第１供給手段のみを起動する限定起動手段をさらに備える、請求項１ないし４のいずれかに記載の電子機器。
【請求項６】
前記主回路はレンズを経た光学像に対応する電子画像を繰り返し出力する撮像手段を含む、請求項１ないし５のいずれかに記載の電子機器。
【請求項７】
負荷量に対応する電流量を示す駆動電流をバッテリおよび外部電源のいずれか一方に基づいて出力する出力手段、
前記出力手段から出力された駆動電流に基づく電力を主回路に供給する第１供給手段、および
既定値を上限として指定傾きで増大する充電電流を前記出力手段から出力された駆動電流に基づいて前記バッテリに供給する第２供給手段を備える電子機器のプロセッサに、
前記外部電源の検知に応答して前記第１供給手段および前記第２供給手段の両方を起動する起動ステップ、
前記起動ステップの処理から既定時間が経過した時点で前記第１供給手段の動作を制限する制限ステップ、および
前記出力手段から出力される駆動電流の減少を補償するべく前記制限ステップの処理に関連して前記指定傾きの大きさを調整する調整ステップを実行させるための、電力制御プログラム。
【請求項８】
負荷量に対応する電流量を示す駆動電流をバッテリおよび外部電源のいずれか一方に基づいて出力する出力手段、
前記出力手段から出力された駆動電流に基づく電力を主回路に供給する第１供給手段、および
既定値を上限として指定傾きで増大する充電電流を前記出力手段から出力された駆動電流に基づいて前記バッテリに供給する第２供給手段を備える電子機器によって実行される電力制御方法であって、
前記外部電源の検知に応答して前記第１供給手段および前記第２供給手段の両方を起動する起動ステップ、
前記起動ステップの処理から既定時間が経過した時点で前記第１供給手段の動作を制限する制限ステップ、および
前記出力手段から出力される駆動電流の減少を補償するべく前記制限ステップの処理に関連して前記指定傾きの大きさを調整する調整ステップを備える、電力制御方法。
【発明の詳細な説明】
【技術分野】
【０００１】
この発明は、電子機器に関し、特に、外部電源に基づいて駆動電流を生成する機能を有する、電子機器に関する。
【背景技術】
【０００２】
この種の電子機器の一例が、特許文献１に開示されている。この背景技術によれば、制御用ＩＣは、撮像素子へ主電源を供給する主電源出力端子と、主電源より電流量の小さい補助電源を撮像素子へ供給する補助電源出力端子を備える。起動開始時から所定時間が経過するまでの間は補助電源が補助電源出力端子から供給され、所定時間が経過すると主電源が主電源出力端子から代替的に供給される。これによって、比較的簡単な制御で起動時の突入電流を抑制することができる。
【先行技術文献】
【特許文献】
【０００３】
【特許文献１】特開２００８−９２５０８号公報
【発明の概要】
【発明が解決しようとする課題】
【０００４】
しかし、背景技術では、外部電源に基づいてバッテリが充電されることはなく、充電電流の変動に起因する受電動作の不安定化を何ら想定していない。このため、背景技術では、外部電源の受電動作の安定性に限界がある。
【０００５】
それゆえに、この発明の主たる目的は、外部電源の受電動作の安定性を高めることができる、電子機器を提供することである。
【課題を解決するための手段】
【０００６】
この発明に従う電子機器(10：実施例で相当する参照符号。以下同じ)は、既定値を上限としかつ負荷量に対応する電流値を示す駆動電流をバッテリ(38)および外部電源(L1, 42)のいずれか一方に基づいて出力する出力手段(40)、出力手段から出力された駆動電流に基づく電力を主回路(MS)に供給する第１供給手段(46~48)、指定傾きで増大する充電電流を出力手段から出力された駆動電流に基づいてバッテリに供給する第２供給手段(44)、外部電源の検知に応答して第１供給手段および第２供給手段の両方を起動する起動手段(S7, S15~S21)、起動手段の処理から既定時間が経過した時点で第１供給手段の動作を制限する制限手段(S27)、および出力手段から出力される駆動電流の減少を補償するべく制限手段の処理に関連して指定傾きの大きさを調整する調整手段(S25)を備える。
【０００７】
好ましくは、起動手段は第１供給手段の起動に遅れて第２供給手段を起動する起動タイミング制御手段(S21)を含む。
【０００８】
好ましくは、出力手段はバッテリに優先して外部電源を電流生成源として選択する。
【０００９】
好ましくは、外部電源は非接触電力伝送方式で電力を受電する受電手段(L1)を含む。
【００１０】
好ましくは、電源オン操作を受け付けたとき第１供給手段および第２供給手段のうち第１供給手段のみを起動する限定起動手段(S5, S9)がさらに備えられる。
【００１１】
好ましくは、主回路はレンズを経た光学像に対応する電子画像を繰り返し出力する撮像手段(16)を含む。
【００１２】
この発明に従う電力制御プログラムは、既定値を上限としかつ負荷量に対応する電流値を示す駆動電流をバッテリ(38)および外部電源(L1, 42)のいずれか一方に基づいて出力する出力手段(40)、出力手段から出力された駆動電流に基づく電力を主回路(MS)に供給する第１供給手段(46~48)、および指定傾きで増大する充電電流を出力手段から出力された駆動電流に基づいてバッテリに供給する第２供給手段(44)を備える電子機器(10)のプロセッサ(50)に、外部電源の検知に応答して第１供給手段および第２供給手段の両方を起動する起動ステップ(S7, S15~S21)、起動ステップの処理から既定時間が経過した時点で第１供給手段の動作を制限する制限ステップ(S27)、および出力手段から出力される駆動電流の減少を補償するべく制限ステップの処理に関連して指定傾きの大きさを調整する調整ステップ(S25)を実行させるための、電力制御プログラムである。
【００１３】
この発明に従う電力制御方法は、既定値を上限としかつ負荷量に対応する電流値を示す駆動電流をバッテリ(38)および外部電源(L1, 42)のいずれか一方に基づいて出力する出力手段(40)、出力手段から出力された駆動電流に基づく電力を主回路(MS)に供給する第１供給手段(46~48)、および指定傾きで増大する充電電流を出力手段から出力された駆動電流に基づいてバッテリに供給する第２供給手段(44)を備える電子機器(10)によって実行される電力制御方法であって、外部電源の検知に応答して第１供給手段および第２供給手段の両方を起動する起動ステップ(S7, S15~S21)、起動ステップの処理から既定時間が経過した時点で第１供給手段の動作を制限する制限ステップ(S27)、および出力手段から出力される駆動電流の減少を補償するべく制限ステップの処理に関連して指定傾きの大きさを調整する調整ステップ(S25)を備える。
【発明の効果】
【００１４】
駆動電流はバッテリまたは外部電源に基づいて生成され、主回路に供給される電力およびバッテリに供給される充電電流はいずれも駆動電流に基づいて生成される。また、主回路への電力供給およびバッテリの充電は、外部電源の検知によって開始される。
【００１５】
ただし、駆動電流は既定値を上限としかつ負荷量に対応する電流値を示し、充電電流は指定傾きで増大する。また、主回路への電力供給は充電電流の供給が開始されてから既定時間が経過した時点で制限され、指定傾きの大きさは駆動電流の減少が補償されるように調整される。これによって、駆動電流の量的変動が抑制され、外部電源の受電動作の安定化が図られる。
【００１６】
この発明の上述の目的，その他の目的，特徴および利点は、図面を参照して行う以下の実施例の詳細な説明から一層明らかとなろう。
【図面の簡単な説明】
【００１７】
【図１】この発明の一実施例の基本的構成を示すブロック図である。
【図２】この発明の一実施例の構成を示すブロック図である。
【図３】受電動作が開始されてからの経過時間と駆動電流の大きさとの関係の一例を示すグラフである。
【図４】図２実施例に適用されるサブＣＰＵの動作の一部を示すフロー図である。
【図５】図２実施例に適用されるサブＣＰＵの動作の他の一部を示すフロー図である。
【発明を実施するための形態】
【００１８】
以下、この発明の実施の形態を図面を参照しながら説明する。
［基本的構成］
【００１９】
図１を参照して、この実施例の電子機器は、基本的に次のように構成される。出力手段１は、既定値を上限としかつ負荷量に対応する電流値を示す駆動電流をバッテリ７および外部電源８のいずれか一方に基づいて出力する。第１供給手段２は、出力手段１から出力された駆動電流に基づく電力を主回路９に供給する。第２供給手段３は、指定傾きで増大する充電電流を出力手段１から出力された駆動電流に基づいてバッテリ７に供給する。起動手段４は、外部電源８の検知に応答して第１供給手段２および第２供給手段３の両方を起動する。制限手段５は、起動手段４の処理から既定時間が経過した時点で第１供給手段２の動作を制限する。調整手段６は、出力手段１から出力される駆動電流の減少を補償するべく制限手段５の処理に関連して指定傾きの大きさを調整する。
【００２０】
駆動電流はバッテリ７または外部電源８に基づいて生成され、主回路９に供給される電力およびバッテリ７に供給される充電電流はいずれも駆動電流に基づいて生成される。また、主回路９への電力供給およびバッテリ７の充電は、外部電源８の検知によって開始される。
【００２１】
ただし、駆動電流は既定値を上限としかつ負荷量に対応する電流値を示し、充電電流は指定傾きで増大する。また、主回路９への電力供給は充電電流の供給が開始されてから既定時間が経過した時点で制限され、指定傾きの大きさは駆動電流の減少が補償されるように調整される。これによって、駆動電流の量的変動が抑制され、外部電源８の受電動作の安定化が図られる。
［実施例］
【００２２】
図２を参照して、この実施例のディジタルカメラ１０は、バッテリ３８および受電回路４２を含む。バッテリ３８は、５Ｖの直流電圧を出力する充電型のバッテリである。また、受電回路４２は、非接触電力伝送方式（＝磁界結合方式）で伝送された高周波電圧を電磁誘導コイルＬ１を通して受電し、受電した高周波電圧を５Ｖの直流電圧に変換する。
【００２３】
電流制御ＩＣ４０は、バッテリ３８または受電回路４２から出力された直流電圧に基づいて直流の駆動電流を出力する。出力される駆動電流は、５００ｍＡを上限として負荷量に応じて異なる値を示す。つまり、電流値は、負荷の増大に伴って増大し、負荷の減少に伴って減少する。また、バッテリ３８および受電回路４２の両方から直流電圧が出力されるとき、電流制御ＩＣ４０は、バッテリ３８に優先して受電回路４２を電流生成源として選択する。
【００２４】
ＤＣ−ＤＣコンバータ４６は、互いに異なる電圧値を各々が示す複数の直流電圧を、電流制御ＩＣ４０から出力された駆動電流に基づいて生成する。生成された複数の直流電圧の一部はサブＣＰＵ５０に直接的に与えられ、生成された複数の直流電圧の他の一部は電源スイッチ４８を介してメインシステムＭＳに与えられる。
【００２５】
ＤＣ−ＤＣコンバータ４６からの直流電圧によって起動されたサブＣＰＵ５０は、電源ボタン５２による電源オン操作に応答して電源スイッチ４８をオンし、電源ボタン５２による電源オフ操作に応答して電源スイッチ４８をオフする。したがって、メインシステムＭＳは、電源オン操作によって起動し、電源オフ操作によって停止する。
【００２６】
メインシステムＭＳは、ドライバ１８ａおよび１８ｂによってそれぞれ駆動されるフォーカスレンズ１２および絞り機構１４を含む。シーンを表す光学像は、フォーカスレンズ１２および絞り機構１４を経て、イメージセンサ１６の撮像面に照射される。電源オン操作によって起動したメインＣＰＵ３０は、まず動画取り込み処理の開始をイメージセンサ１６および信号処理回路２２に命令する。
【００２７】
イメージセンサ１６は、垂直同期信号Ｖｓｙｎｃが発生する毎に撮像面を露光し、これによって生成された電荷をラスタ走査態様で撮像面から読み出す。イメージセンサ１６からは、読み出された電荷に基づく生画像データが繰り返し出力される。
【００２８】
信号処理回路２０は、イメージセンサ１６から出力された生画像データに色分離，白バランス調整，ＹＵＶ変換などの処理を施し、これによって作成されたＹＵＶ形式の画像データをメモリ制御回路２２を通してＳＤＲＡＭ２４の動画像エリア２４ａに書き込む。ＬＣＤドライバ２６は、動画像エリア２４ａに格納された画像データをメモリ制御回路２２を通して繰り返し読み出し、読み出された画像データに基づいてＬＣＤモニタ２８を駆動する。この結果、撮像面で捉えられたシーンを表すリアルタイム動画像（スルー画像）がモニタ画面に表示される。
【００２９】
キー入力装置３２に設けられたシャッタボタン３２ｓｈが非操作状態にあるとき、メインＣＰＵ３０は、信号処理回路２０によって生成されたＹデータに基づいて簡易ＡＥ処理を実行し、適正ＥＶ値を算出する。算出された適正ＥＶ値を定義する絞り量および露光時間はドライバ１８ｂおよびイメージセンサ１８に設定され、これによってスルー画像の明るさが大まかに調整される。
【００３０】
シャッタボタン３２ｓｈが半押しされると、メインＣＰＵ３０は、同じＹデータに基づいて厳格ＡＥ処理を実行し、最適ＥＶ値を算出する。算出された最適ＥＶ値を定義する絞り量および露光時間もまたドライバ２０ｂおよびイメージセンサ１８に設定され、これによってスルー画像の明るさが厳格に調整される。メインＣＰＵ３０はまた、同じＹデータの高周波成分に基づいてＡＦ処理を実行する。フォーカスレンズ１２はＡＦ処理によって発見された合焦点に配置され、これによってスルー画像の鮮鋭度が向上する。
【００３１】
シャッタボタン３２ｓｈが全押しされると、メインＣＰＵ３０は、静止画取り込み処理を自ら実行し、記録処理の実行をメモリＩ／Ｆ３４に命令する。静止画取り込み処理の結果、最新の１フレームの画像データが動画像エリア２４ａから静止画像エリア２４ｂに退避される。メモリＩ／Ｆ３４は、退避された画像データをメモリ制御回路２２を通して静止画像エリア２４ｂから読み出し、読み出された画像データをファイル形式で記録媒体３６に記録する。上述した動画取り込み処理は、記録処理が完了した後に再開される。
【００３２】
メインシステムＭＳが停止している状態でディジタルカメラ１０が図示しない充電台に載置されると、電磁誘導コイルＬ１が充電台に設けられた送電用の電磁誘導コイルと磁界結合される。この結果、電磁誘導コイルＬ１に高周波電圧が励起され、５Ｖの直流電圧が受電回路４２から出力される。
【００３３】
サブＣＰＵ５０は、受電回路４２から５Ｖの直流電圧が出力されたときにも、電源スイッチ４８をオンする。この結果、メインシステムＭＳが起動される。電源スイッチ４８がオンされた時刻を“Ｔ１”としたとき、時刻Ｔ１の時点では電流制御ＩＣ４０はオフ状態であり、駆動電流は全てＤＣ−ＤＣコンバータ４６に与えられる。電流制御ＩＣ４０にとってはＤＣ−ＤＣコンバータ４６以降の回路が負荷となり、駆動電流はこの負荷の大きさに対応する値まで急激に増大する（図３の時刻Ｔ１近傍参照）。
【００３４】
サブＣＰＵ５０は続いて、充電電流の供給量の傾きとして“ＳＬ１”を充電制御ＩＣ４４に設定する。充電制御ＩＣ４４は、傾き設定が完了してから“ＤＬ１”に相当する時間が経過した後に、サブＣＰＵ５０によってオンされる。充電制御ＩＣ４４は、バッテリ３８に供給する充電電流を傾きＳＬ１に従う増加率で増大させる（図３の時刻Ｔ２近傍参照）。
【００３５】
充電制御ＩＣ４４がオンされると、電流制御ＩＣ４０にとっては、ＤＣ−ＤＣコンバータ４６以降の回路および充電制御ＩＣ４４が負荷となる。ＤＣ−ＤＣコンバータ４６には駆動電流の一部（＝電流Ｉｃｍ）が振り向けられ、充電制御ＩＣ４４には駆動電流の他の一部（＝電流Ｉｂｔ）が振り向けられる。
【００３６】
ＤＣ−ＤＣコンバータ４６以降の負荷はフォーカスレンズ１２を駆動しない限り固定的であるため、駆動電流は傾きＳＬ１に沿って５００ｍＡまで増大し、増大分は全て充電制御ＩＣ４４に与えられる。充電制御ＩＣ４４は、こうして与えられた電流Ｉｂｔに基づく充電電流をバッテリ３８を供給する。
【００３７】
充電制御ＩＣ４０がオンされてから“ＤＬ２”に相当する時間が経過すると、サブＣＰＵ５０は、充電制御ＩＣ４４に設定された傾きを“ＳＬ１”から“ＳＬ２”に更新し、同時に電源スイッチ４８をオフする（図３の時刻Ｔ３近傍）。
【００３８】
電源スイッチ４８がオフされると、ＤＣ−ＤＣコンバータ４６以降の負荷が急激に減少し、ＤＣ−ＤＣコンバータ４６に振り向けられる電流Ｉｃｍの値もまた急激に減少する。傾きＳＬ２は、このような電流Ｉｃｍの減少を補償する傾きに相当する。したがって、駆動電流の総量は電源スイッチ４８がオフされた後も５００ｍＡを維持し、充電制御ＩＣ４４に振り向けられる電流Ｉｂｔひいては充電電流の値が急激に増大する（図３の時刻Ｔ３以降参照）。
【００３９】
なお、充電制御ＩＣ４４は、受電回路４２から５Ｖの直流電圧が出力されなくなるか、或いはバッテリ３８が満充電となった時点で、サブＣＰＵ５０によってオフされる。
【００４０】
サブＣＰＵ５０は、図４〜図５に示すフロー図に従う処理を実行する。なお、このフロー図に対応する制御プログラムは、フラッシュメモリ５４に格納される。
【００４１】
図４を参照して、ステップＳ１では電源スイッチ４８をオフし、ステップＳ３では充電制御ＩＣ４０をオフする。ステップＳ３の処理が完了すると、電源オン操作が行われたか否かをステップＳ５で判別し、受電電圧が検知されたか否か（＝受電回路４２から５Ｖの直流電圧が出力されたか否か）をステップＳ７で判別する。
【００４２】
ステップＳ５の判別結果がＹＥＳであれば、ステップＳ９で電源スイッチ４８をオンする。これによって、メインシステムＭＳが起動する。ステップＳ１１では電源オフ操作が行われたか否かを繰り返し判別し、判別結果がＮＯからＹＥＳに更新されるとステップＳ１３で電源スイッチ４８をオフする。これによって、メインシステムＭＳが停止する。ステップＳ１３の処理が完了すると、ステップＳ５に戻る。
【００４３】
ステップＳ７の判別結果がＹＥＳであれば、ステップＳ１５で電源スイッチ４８をオンする。ステップＳ１７では、充電電流の供給量の傾きとして“ＳＬ１”を充電制御ＩＣ４４に設定する。傾き設定が完了するとステップＳ１９で“ＤＬ１”に相当する時間だけ待機し、その後にステップＳ２１で充電制御ＩＣ４４をオンする。充電制御ＩＣ４４は、バッテリ３８に供給する充電電流を傾きＳＬ１に従う増加率で増大させる。
【００４４】
ステップＳ２３では“ＤＬ２”に相当する時間だけ待機し、待機時間が経過すると上述の傾き設定をステップＳ２５で変更する。充電制御ＩＣ４４に設定された傾きは、“ＳＬ１”から“ＳＬ２”に更新される。傾き設定が変更されると、ステップＳ２７で電源スイッチ４８をオフする。
【００４５】
ステップＳ２９では受電電圧が検知されなくなったか否か（受電回路４２から５Ｖの直流電圧が出力されなくなったか否か）を判別し、ステップＳ３１ではバッテリ３８が満充電となったか否かを判別する。いずれか一方の判別結果がＮＯからＹＥＳに更新されると、ステップＳ３２で充電制御ＩＣ４４をオフし、その後にステップＳ５に戻る。
【００４６】
以上の説明から分かるように、電流制御ＩＣ４０は、５００ｍＡを上限としかつ負荷量に対応する電流値を示す駆動電流を、バッテリ３８および受電回路４２のいずれか一方から出力された５Ｖの直流電圧に基づいて出力する。ＤＣ−ＤＣコンバータ４６は、電流制御ＩＣ４０から出力された駆動電流に基づく電力を電源スイッチ４８を介してメインシステムＭＳに供給する。充電制御ＩＣ４４は、指定傾きで増大する充電電流を電流制御ＩＣ４０から出力された駆動電流に基づいてバッテリ３８に供給する。サブＣＰＵ５０は、受電回路４２から５Ｖの直流電圧が出力されたとき、電源スイッチ４８および充電制御ＩＣ４０の両方をオンする(S7, S15~S21)。このオン動作から“ＤＬ２”に相当する時間が経過すると、サブＣＰＵ５０は、電源スイッチ４８をオフし(S27)、これに起因する駆動電流の減少が補償されるように上述の指定傾きの大きさを調整する(S25)。
【００４７】
このように、駆動電流はバッテリ３８または受電回路４２から出力された直流電圧に基づいて生成され、メインシステムＭＳに供給される電力およびバッテリ３８に供給される充電電流はいずれも駆動電流に基づいて生成される。また、メインシステムＭＳへの電力供給およびバッテリ３８の充電は、受電回路４２から出力された直流電圧の検知によって開始される。
【００４８】
ただし、駆動電流は５００ｍＡを上限としかつ負荷量に対応する電流値を示し、充電電流は指定傾きで増大する。また、メインシステムＭＳへの電力供給は充電電流の供給が開始されてから“ＤＬ２”に相当する時間が経過した時点で制限され、指定傾きの大きさは駆動電流の減少が補償されるように調整される。これによって、駆動電流の量的変動が抑制され、受電回路４２による受電動作の安定化が図られる。
【００４９】
なお、この実施例では、電源スイッチ４８がオンされてから“ＤＬ１”に相当する時間が経過した時点で充電制御ＩＣ４４をオンするようにしている（図３参照）。しかし、電源スイッチ４８および充電制御ＩＣ４４は同時にオンするようにしてもよい。また、この実施例ではディジタルカメラを想定しているが、この発明はディジタルカメラ以外の電子機器にも適用することができる。
【符号の説明】
【００５０】
１０  …ディジタルカメラ
１６  …イメージセンサ
３８  …バッテリ
４０  …電流制御ＩＣ
４２  …受電回路
４４  …充電制御ＩＣ
４６  …ＤＣ−ＤＣコンバータ
５０  …サブＣＰＵ
【図１】
2014132807.tif 000003
【図２】
2014132807.tif 000004
【図３】
2014132807.tif 000005
【図４】
2014132807.tif 000006
【図５】
2014132807.tif 000007